(57)【要約】【課題】弾性体のばね性をなくし適度な減衰力を得ると共に、摺動部が少なく摺動抵抗が発生しにくい構成により振動伝達を最小限にして低振動化を実現する。【解決手段】圧縮ばね４１を内包する伸縮自在な袋体４２と、袋体４２の内側と外側を連通する流路４４と、支持体４３と袋体４２を連結するように挿入されるロッド４５と、支持体４３の両端部にロッド４５を摺動自在に支持する軸受け４３ａ、４８ａを備えたことにより、シリンダとピストンを使用しないので摺動部を減らすことができると共に、袋体４２内の流体が流路４４を通って出入りする時に発生する抵抗から適度な減衰力を得ることができる。よって、外槽３３の振動がそのまま洗濯機外枠３０の底部に伝わらないので、洗濯機外枠３０の振動ならびに振動に起因する騒音を小さくすることができる。【選択図】図１
2007306959.tif 000002
【特許請求の範囲】
【請求項１】
洗濯機外枠の底部に設けられた弾性体に支持された外槽と、前記外槽内に回転可能に設けられた洗濯兼脱水槽と、前記洗濯兼脱水槽を回転させる駆動手段とを備え、前記弾性体は、前記外槽を支える支持体と、前記支持体と前記外槽の間に配置され前記外槽の振動を吸収する圧縮ばねと、前記圧縮ばねを内包する伸縮自在な袋体と、前記袋体の内側と外側を連通する流路と、前記支持体と前記袋体を連結するように挿入されるロッドと、前記支持体の両端部に前記ロッドを摺動自在に支持する軸受けを備えた洗濯機。
【請求項２】
弾性体は、流路の開口部を支持体内に設けた請求項１記載の洗濯機。
【請求項３】
弾性体は、ロッドに支持体と袋体を連通する連通路を構成し、前記ロッドの往復運動で前記連通路を開閉する開閉手段を設けた請求項１記載の洗濯機。
【請求項４】
開閉手段は、ロッドの軸受けへの出没で開閉するようにした請求項３記載の洗濯機。
【請求項５】
連通路の開口面積を流路の開口面積より大きくした請求項３または４記載の洗濯機。
【請求項６】
弾性体は、外槽に一端を支持された第１の弾性体と一端を洗濯機外枠の底部に支持された第２の弾性体を連結するように挿入されるロッドと、前記第１の弾性体または第２の弾性体のいずれかの両端に設けられた前記ロッドを摺動自在に支持する軸受けと、前記第１の弾性体の袋体の内部と外部を連通する第１の流路と、第２の弾性体の袋体の内部と外部を連通する第２の流路とを備え、前記第１の流路を前記ロッドに形成し、前記第１の流路に前記ロッドの往復運動で開閉する開閉手段を設けた請求項１記載の洗濯機。
【請求項７】
開閉手段は、ロッドの軸受けへの出没で開閉するようにした請求項６記載の洗濯機。
【発明の詳細な説明】
【技術分野】
【０００１】
本発明は、洗濯機本体内に弾性的に支持した外槽内に回転自在に設けた洗濯兼脱水槽内で、洗濯物の洗濯、すすぎ、脱水（更に乾燥まで行う場合もある）を行う洗濯機に関するものである。
【背景技術】
【０００２】
従来、この種の洗濯機は、シリンダとピストンで構成されるエアーダンパを備え、シリンダ内の空気の流れを止めてピストンを動きにくくすることによって制動力を得ていた（例えば、特許文献１参照）。
【０００３】
図１７は、特許文献１に記載された従来の洗濯機の全体構成を示すものである。図１７に示すように、洗濯機本体１内にばね２によって吊り下げ支持された水槽３と、この水槽３内で回転するドラム４と、このドラム４を駆動させる手段５と、前記水槽３下部と洗濯機本体１との間に設けられたダンパ６とを備え、このダンパ６はシリンダ７とこのシリンダ７内を摺動するピストン８とからなり、さらにこのシリンダ７はピストン８によって分割されるシリンダ７内を連通させるバイパス９を有し、このバイパス９には空気の流通を任意のタイミングで連通、遮断するバルブ１０を設けている。
【０００４】
洗濯、すすぎを終えて脱水を行うとき、衣類が前記ドラム４の下部に偏った状態でドラム４を回転させる。このとき衣類による偏心荷重のため水槽３が起動時に大きく振動するが、このときバイパス９のバルブ１０は閉じてあり、ピストン８をシリンダ７内で上下させることによって発生する空気圧によってダンパ力を得、起動時の大きな振動を抑える。さらにドラム４が高速回転に入ると水槽３の振動は脱水とともに徐々に小さくなるので、バイパス９のバルブ１０を開放しシリンダ７内の空気圧を発生させないようにする。これによって振動が設置床に直接伝わり、床を大きく振動させることがなくなり、騒音や家屋の振動を引き起こすことがなくなるというものであった。
【特許文献１】特開平５−８４３９０号公報
【発明の開示】
【発明が解決しようとする課題】
【０００５】
しかしながら、前記従来の構成では、バイパス９のバルブ１０を閉じ、ピストン８をシリンダ７内で上下させることによって発生する空気圧によってダンパ力を得、起動時の大きな振動を抑えようとしているが、空気が圧縮性流体なので、バルブ１０を閉じるとシリンダ７内の空気は、空気ばねとして働き、ダンパ６の制振効果が少なくなるという問題があった。また、適度な空気圧を発生させるためにはシリンダ７とピストン８の気密性を良くする必要があり、必然的にシリンダ７とピストン８の間に摺動抵抗が発生する。この摺動抵抗が、水槽３の振動を洗濯機本体１に伝え、洗濯機本体１の振動や騒音が大きくなるという問題もあった。更に、ピストンロッドがシリンダ７の上端に設けた軸受け一箇所で支持されており、衣類の偏り状態によって水槽３が前後左右に揺れながら上下動する場合、ピストンロッドは軸受けを支点にして傾きながら軸受け内を摺動することになり、軸受けとピストンロッドに摩擦が発生しスムーズに摺動することができず、水槽３の振動がそのまま洗濯機本体１の底部に伝わり洗濯機本体１の振動や騒音を発生させるという問題もあった。
【０００６】
本発明は、前記従来の課題を解決するもので、ダンパのばね性をなくし適度な減衰力を得ると共に、どんな水槽の動きに対してもピストンロッドの摺動をスムーズにし、水槽の振動がそのまま洗濯機本体の底部に伝わらないようにして低振動と低騒音化を実現する洗濯機を提供することを目的とする。
【課題を解決するための手段】
【０００７】
前記従来の課題を解決するために、本発明の洗濯機は、洗濯機外枠の底部に設けられた弾性体に支持された外槽と、前記外槽内に回転可能に設けられた洗濯兼脱水槽と、前記洗濯兼脱水槽を回転させる駆動手段とを有し、前記弾性体は前記外槽を支える支持体と、前記支持体と前記外槽の間に配置され前記外槽の振動を吸収する圧縮ばねと、前記圧縮ばねを内包する伸縮自在な袋体と、前記袋体の内側と外側を連通する流路と、前記支持体と前記袋体を連結するように挿入されるロッドと、前記支持体の両端部に前記ロッドを摺動自在に支持する軸受けを備えた洗濯機とするものである。
【０００８】
これによって、シリンダとピストンを使用しないので摺動部を減らすことができると共に、袋体内の流体が流路を通って出入りする時に発生する抵抗から適度な減衰力を得ることができる。従って、洗濯物の偏心荷重による脱水起動時の外槽の激しい振動を適度な減衰力を有する弾性体で確実に抑え、洗濯物の偏り状態によって外槽が前後左右に揺れながら上下動する場合でも、支持体の両端に設けた二つの軸受けでロッドを支持することにより、ロッドが傾きながら軸受け内を摺動することがなくなり、軸受けとロッドに発生する摩擦が少なく、スムーズに摺動することができ、外槽の振動がそのまま洗濯機外枠の底部に伝わらないので、洗濯機外枠の振動ならびに振動に起因する騒音を小さくすることができる。
【発明の効果】
【０００９】
本発明の洗濯機は、洗濯機外枠に弾性体を設け、弾性体を適度な減衰力を有すると共に、摺動部の摩擦が小さくなる構成にしたため、洗濯物の偏心荷重による脱水起動時の外槽の激しい振動は適度な減衰力を有した弾性体で確実に抑え、洗濯物の偏り状態によって外槽が前後左右に揺れながら上下動する場合でも、支持体の両端に設けた二つの軸受けでロッドを支持することにより、ロッドが傾きながら軸受け内を摺動することがなくなり、軸受けとロッドに発生する摩擦が少なく、スムーズに摺動することができ、外槽の振動がそのまま洗濯機外枠の底部に伝わらないので、洗濯機外枠の振動ならびに振動に起因する騒音を小さくすることができる。
【発明を実施するための最良の形態】
【００１０】
第１の発明は、洗濯機外枠の底部に設けられた弾性体に支持された外槽と、前記外槽内に回転可能に設けられた洗濯兼脱水槽と、前記洗濯兼脱水槽を回転させる駆動手段とを備え、前記弾性体は、前記外槽を支える支持体と、前記支持体と前記外槽の間に配置され前記外槽の振動を吸収する圧縮ばねと、前記圧縮ばねを内包する伸縮自在な袋体と、前記袋体の内側と外側を連通する流路と、前記支持体と前記袋体を連結するように挿入されるロッドと、前記支持体の両端部に前記ロッドを摺動自在に支持する軸受けを備えたことにより、袋体内の流体が流路を通って出入りする時に発生する抵抗から適度な減衰力を得ることができるので、洗濯物の偏心荷重による脱水起動時の外槽の激しい振動を適度な減衰力を有する弾性体で確実に抑え、洗濯物の偏り状態によって外槽が前後左右に揺れながら上下動する場合でも、支持体の両端に設けた二つの軸受けでロッドを支持することにより、ロッドが傾きながら軸受け内を摺動することがなくなり、軸受けとロッドの摺動部に発生する摩擦が少なく、スムーズに摺動することができ、外槽の振動がそのまま洗濯機外枠の底部に伝わらないので、洗濯機外枠の振動ならびに振動に起因する騒音を小さくすることができる。
【００１１】
第２の発明は、特に、第１の発明の弾性体の流路の開口部を支持体内に設けたことにより、流体が流路から噴出する音を支持体内の空間で遮音し、流体の排出音をなくすことができる。
【００１２】
第３の発明は、特に、第１の発明の弾性体のロッドに支持体と袋体を連通する連通路を構成し、前記ロッドの往復運動で前記連通路を開閉する開閉手段を設けたことにより、袋体内の流体が流れる経路の数を変えることができ、それによって減衰力の強弱を切り替え外槽の振動が大きい共振時に弾性体の減衰力を強くして、外槽の振動を抑え、外槽の振動が比較的小さい定常時に弾性体の減衰力を弱くして、外槽の洗濯機外枠に対する振動伝達を小さくし、洗濯機外枠の振動を低減することができる。
【００１３】
第４の発明は、特に、第３の発明の開閉手段をロッドの軸受けへの出没で開閉するようにしたことにより、部品点数が減り低コスト化を図ることができる。
【００１４】
第５の発明は、特に、第３または第４の発明の連通路の開口面積を流路の開口面積より大きくしたことにより、減衰力の強弱の差を大きくし、外槽の振動が大きい共振時に弾性体の減衰力をより強くして、外槽の振動を抑え、外槽の振動が比較的小さい定常時に弾性体の減衰力をより弱くして、外槽の洗濯機外枠に対する振動伝達を小さくし、洗濯機外枠の振動を更に低減することができる。
【００１５】
第６の発明は、第１の発明の弾性体に外槽に一端を支持された第１の弾性体と一端を洗濯機外枠の底部に支持された第２の弾性体を連結するように挿入されるロッドと、前記第１の弾性体または第２の弾性体のいずれかの両端に設けられた前記ロッドを摺動自在に支持する軸受けと、前記第１の弾性体の袋体の内部と外部を連通する第１の流路と、第２の弾性体の袋体の内部と外部を連通する第２の流路とを備え、前記第１の流路を前記ロッドに形成し、第１の流路の開口部に前記ロッドの往復運動で開閉する開閉手段を設けたことにより、弾性体のばね定数を切り替えることができ、より安全に脱水起動時の共振の発生を防止することができる。
【００１６】
第７の発明は、特に、第６の発明の開閉手段をロッドの軸受けへの出没で開閉するようにしたことにより、部品点数が減り低コスト化を図ることができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における洗濯機の断面図、図２、図３は、本発明の同洗濯機の弾性体の断面図を示すものである。
【００１９】
図１〜図３において、洗濯機外枠３０は、４本の引張りばね３１と、２本の弾性体３２により外槽３３を弾性支持している。引張りばね３１は外槽３３の姿勢を維持するためのものであり、外槽３３の重量は弾性体３２が支えている。洗濯兼脱水槽３４は、外槽３３内に回転自在に配設している。モータ（駆動手段）３５は、ブラシレス直流モータから成っており、インバータ制御され、回転速度が自在に変化されるようになっている。そして直接洗濯兼脱水槽３４を駆動する。給水手段３６は洗濯兼脱水槽３４内に給水するものである。水位検知手段３７は、外糟３３内の洗濯水位を検知する。排水手段３８は、外槽３３内の洗濯水を排水するものである。
【００２０】
制御装置３９は、洗濯機外枠３０の前面下部に設けられている。制御装置３９は、洗濯機外枠３０の前面上部に設けられた操作表示手段４０により入力された設定内容に基づいて洗い、すすぎ、脱水の各工程を逐次制御するもので、パワースイッチング手段（図示せず）を介してモータ３５、給水手段３６、排水手段３８などを逐次制御する。
【００２１】
弾性体３２は、圧縮ばね４１、袋体４２、支持体４３、流路４４、ロッド４５から構成されている。袋体４２は、ゴムを蛇腹状に成型した伸縮自在の側壁４６と、側壁４６の上部開口部を覆う金属製の上側支持部４７と、側壁４６の下部開口部を覆う金属製の下側支持部４８で構成されている。側壁４６と上側支持部４７、下側支持部４８は加硫接着されており、強度と気密性を確保している。
【００２２】
圧縮ばね４１は、上側支持部４７と下側支持部４８の間に設置されている。上側支持部４７には、流路４４が設けられており、袋体４２内と外部を連通している。支持体４３の上端部には下側支持部４８が固着されている。上側支持部４７にはロッド４５の上部が固着されており、下端は下側支持部４８に設けられた軸受け４８ａと支持体４３の下部に一体に設けられたもう一つの軸受け４３ａに挿入されている。ロッド４５の上端には雄ねじ４５ｂが形成されており、防振体４９を介して弾性体取り付け台５０に装着後、ナット５１により固定されている。一方支持体４３の下部は、洗濯機外枠３０の底部に固定された弾性体支持台５２に防振体４９を介して装着後、ナット５３により固定されている。
【００２３】
弾性体取り付け台５０は、外槽３３を下方から支えるように外槽３３の底部に固定されている。袋体４２が縮むと流路４４から空気が排気され、袋体４２が伸びると流路４４から吸引する。この時の排気抵抗と吸引抵抗が減衰力となる。流路４４の開口面積は大き過ぎると減衰力が弱くなり、小さ過ぎると空気ばねとして作用するようになる。いずれの場合も強い減衰力を得られない。実験では開口面積０．０６ｍｍ２の時強い減衰力を得ることが判明しているので、流路４４の開口面積を０．０６ｍｍ２に設定している。
【００２４】
以上のように構成された洗濯機について、以下その動作、作用を説明する。まず、洗濯兼脱水槽３４内に洗濯物と洗剤を投入後、操作表示手段４０を操作して運転を開始する。これによって、給水手段３６が動作し、洗濯兼脱水槽３４内に洗濯水が供給されると共に洗濯兼脱水槽３４も回転を開始する。規定量の洗濯水が供給されると給水手段３６は給水を停止する。洗濯兼脱水槽３４の回転によって、洗剤は洗濯水に溶かされ、洗濯液となって洗濯物に浸透する。洗濯兼脱水槽３４は、３０ｒ／ｍｉｎ程度の低速で回転して、洗濯物を持ち上げては落とすというたたき洗いを規定時間行う。
【００２５】
洗濯終了後、排水手段３８が作動し、汚れを溶かし込んだ洗濯液は、外槽３３の外に排水される。排水終了後、洗濯兼脱水槽３４の回転は徐々に速くなる。洗濯兼脱水槽３４の回転による振動周波数が、外槽３３の共振周波数に近づくと外槽３３は、大きく振動するようになる。特に、洗濯物の偏荷重が大きくて弾性体３２の減衰力が弱い場合、外槽３３は洗濯機外枠３０に衝突し、激しい時は、洗濯機外枠３０が移動する。この共振時には、弾性体３２の袋体４２が大きく伸縮を繰り返すことになり、袋体４２内の大量の空気が流路４４から吸排気される。この吸排気抵抗により弾性体３２に大きな減衰力が発生し外槽３３の振動が抑えられることになる。
【００２６】
共振時を通過すると外槽３３の振動は小さくる。それに伴って袋体４２の伸縮も小さくなり、発生する減衰力も減少する。従って、外槽３３の洗濯機外枠３０に対する振動伝達率も小さくなり、外槽３３の振動による洗濯機外枠３０の振動を小さくすることができる。また、シリンダとピストンを使用しないので摺動部を減らすことができると共に、洗濯物の偏り状態によって外槽３３が前後左右に揺れながら上下動する場合でも、支持体４３の両端に設けた二つの軸受け４３ａと４８ａでロッド４５を支持することにより、ロッド４５が傾きながら軸受け４３ａ、４８ａ内を摺動することがなく、軸受け４３ａならびに４８ａとロッド４５間の摩擦が少なく、スムーズに摺動することができることから、外槽３３の振動が洗濯機外枠３０の底部に伝わりにくくなるので、洗濯機外枠３０の振動ならびに振動に起因する騒音を更に小さくすることができる。
【００２７】
以上のように本実施の形態においては、洗濯機外枠３０の底部に設けられた弾性体３２を適度な減衰力を有すると共に、摺動部の少ない構成にしたため、洗濯物の偏心荷重による脱水起動時の外槽３３の激しい振動は適度な減衰力を有した弾性体３２で確実に抑え、定常時は摺動抵抗を少なくして外槽３３の洗濯機外枠３０に対する振動伝達を小さくすることで、脱水起動時と定常時の両方の低振動と低騒音化を実現することができる。
【００２８】
（実施の形態２）
図４は、本発明の第２の実施の形態における洗濯機の弾性体の断面図を示すものである。図４において、弾性体３２は、下側支持部４８に流路４４を設け、その開口部４４ａを筒状に形成した支持体４３内に配置し、支持体４３に流路４４より開口面積の大きい排出口４３ｂを設けている。その他の構成は実施の形態１と同様である。これにより、流体（空気）が流路４４から噴出する音を空間４３ｃで遮音し、開口面積の大きい排出口４３ｂから流速を遅くして排出することにより、流体（空気）の排出音をなくすことができ、作動音を小さくすることができる。
【００２９】
（実施の形態３）
図５、図６は、本発明の第３の実施の形態における洗濯機の弾性体の断面図、図７は、同洗濯機の脱水工程での外槽の振動振幅を示すグラフである。
【００３０】
図５、図６において、ロッド４５はパイプ４５ｃの上端に締結された取り付け部４５ｄと、下端に締結された栓４５ｅとで構成されている。取り付け部４５ｄと栓４５ｅの間の空間４５ｆと、下側支持部４８を挟んで両側に設けられた貫通孔５４と５５により連通路５６が構成されている。開閉手段５７は軸受け４３ａの上部に設けられ、ロッド４５の運動で連通路５６を開閉する。その他の構成は実施の形態１と同様である。
【００３１】
図７に示すように、脱水工程での外槽３３の振動は、起動時の共振を迎え大きく振動する。共振を通過すると、外槽３３の振動は徐々に小さくなり、洗濯物のアンバランスが大きくないかぎり１０ｍｍ以下の振幅になる。脱水起動時、洗濯物には洗濯水が大量に含まれており、外槽３３が重いので、ロッド４５は下降して軸受け４３ａ内に貫通孔５４の開口部が入った状態が維持される。従って、連通路５６を流体が流れないので開口面積の小さい流路４４のみから吸排気を行うため、減衰力が大きくなる。この状態で共振を通過するので、外槽３３の大きな振動は、大きい減衰力で小さく抑えられることになる。
【００３２】
脱水が進んで定常状態になると、洗濯物に含まれた洗濯水は遠心力で分離された後に排水されるので外槽３３は軽くなる。それにつれてロッド４５が上昇し、貫通孔５４の開口部が開閉手段５７から出て、開口部を通って流体が連通路５６を流れるようになる。開口部の開口面積は流路４４の開口面積と同じであり、流路４４の開口面積が２倍になったのと等しく流路抵抗が小さくなって減衰力も小さくなる。従って、外槽３３の振動は洗濯機外枠３０に伝わりにくくなり、洗濯機本体の振動を小さくすることができる。また、振動に起因する騒音も小さくできる。
【００３３】
（実施の形態４）
図８、図９は、本発明の第４の実施の形態における洗濯機の弾性体の断面図を示すものである。図８、図９において、開閉手段５７は、ロッド４５の軸受け４３ａへの出没により開閉するようにしたものである。その他の構成は実施の形態３と同様である。これにより、部品の数を減らすことができるのでコストダウンを図ることができる。
【００３４】
（実施の形態５）
図１０は、本発明の第５の実施の形態における洗濯機の弾性体の断面図を示すものである。図１０において、貫通孔５４、５５の開口部の開口面積を流路４４の開口面積より大きくしたものである。その他の構成は実施の形態３または４と同様である。
【００３５】
貫通孔５４の開口部の開口面積は３ｍｍ２に設定してあり、流路抵抗がほぼなくなり減衰力を発生しなくなる。したがって脱水定常時の洗濯機本体の振動を更に小さくすることができる。また、振動に起因する騒音も小さくなる。
【００３６】
（実施の形態６）
図１１、図１２は、本発明の第６の実施の形態における洗濯機の弾性体の断面図を示すものである。図１３、図１４は、同洗濯機の脱水時の洗濯兼脱水槽の回転数を示すグラフである。
【００３７】
図１１、図１２において、弾性体３２は、直列に設けられた第１の弾性体５８と、第２の弾性体５９と、第１の弾性体５８と第２の弾性体５９を貫通するように設けられたロッド４５で構成されている。第２の弾性体５９の両端には、ロッド４５を摺動自在に支持する軸受け５９ｂと５９ｃが設けられている。第１の弾性体５８には、第１の袋体５８ａの内側と外側を連通する第１の流路６０が設けられている。ロッド４５はパイプ４５ｃの上端に締結された取り付け部４５ｄと、下端に締結された栓４５ｅとで構成されており、取り付け部４５ｄと栓４５ｅの間の空間４５ｆと、袋体５８ａ内に設けられた貫通孔６１と、第２の袋体５９ａ内に設けられた貫通孔６２により第１の流路６０が構成されている。軸受け５９ｃの上部には貫通孔６２を開閉する開閉手段６３が設けられている。第２の袋体５９ａには内側と外側を連通する第２の流路６４が軸受け５９ｃに設けられている。その他の構成は実施の形態１と同様である。
【００３８】
第１の弾性体５８および第２の弾性体５９の圧縮ばね４１のばね定数をＫとすると、直列に設けられているので、弾性体３２のばね定数としてはＫ／２となる。開閉手段６３を閉じると、第１の弾性体５８の袋体５８ａ内の流体（空気）は貫通孔６２から吸排気されないので袋体５８ａは伸縮できない。一方、第２の袋体５９ａ内の流体（空気）は第２の流路６４から吸排気されるので、結果として第２の弾性体５９の圧縮ばね４１のみが作用することになる。この時の弾性体３２のばね定数はＫということになり、開閉手段６３の開閉で、弾性体３２のばね定数を切り替えることができる。
【００３９】
外槽３３と弾性体３２の共振点は、弾性体３２の１本当たりの負荷を２０ｋｇ、弾性体３２のばね定数をＫ＝１０Ｎ／ｍｍとすると、約３．６Ｈｚである。洗濯兼脱水槽３４の回転数で言えば約２１４ｒ／ｍｉｎとなる。Ｋ／２＝５Ｎ／ｍｍでは２．５Ｈｚ、約１５０ｒ／ｍｉｎである。図１３、図１４に示すように洗濯兼脱水槽３４の回転数が起動から２００ｒ／ｍｉｎまでは開閉手段６３を閉じて弾性体３２のばね定数をＫにして共振前とし、２００ｒ／ｍｉｎを越えた時に開閉手段６３を開いて弾性体３２のばね定数をＫ／２にして共振通過後にすることにより、脱水起動時に発生する共振をなくすことができ、スムーズに脱水を開始することができる。
【００４０】
開閉手段６３の開閉は、ロッド４５の開閉手段６３への出没で行っている。すなわち、脱水起動時は大量の洗濯水を含んだ洗濯物の重量で外槽３３の位置が下がり、ロッド４５も下降する。貫通孔６２は、開閉手段６３内に入り込み貫通孔６２は閉じられる。脱水の起動時には洗濯水の泡の抵抗で回転数が上昇しにくい。そのため、２００ｒ／ｍｉｎ以下での泡きり工程がある。この間に大半の洗濯水を排水することになるので、外槽３３は軽くなって位置を上げる。洗濯兼脱水槽３４の回転数が２００ｒ／ｍｉｎを越え２５０ｒ／ｍｉｎ程度になると、遠心力により洗濯物から更に分離した洗濯水が排水されるので外槽３３は更に軽くなって位置が上がり、ロッド４５は上昇して貫通孔６２が開閉手段６３から出て、貫通孔６２が開かれる。弾性体３２のばね定数はＫ／２になって共振が下方にずれ、瞬時に共振を通過したことになる。
【００４１】
このように、ばね定数の切り替えを外槽３３の重量変化を利用して自動的に行っており、電磁弁や制御手段を必要としないので安価にシステムを構築できる。また、脱水定常時のばね定数が小さくなるので外槽３３の振動が洗濯機外枠３０に伝わりにくくなり、洗濯機本体の振動と振動に起因する騒音を小さくできる。本実施の形態では、第１の弾性体５８と第２の弾性体５９の圧縮ばね４１のばね定数を等しくしたが、差を設けても同様の効果が得られる。
【００４２】
（実施の形態７）
図１５、図１６は、本発明の第７の実施の形態における洗濯機の弾性体の断面図を示すものである。図１５、図１６において、開閉手段６３は、ロッド４５の軸受け５９ｃへの出没により開閉するようにしたものである。その他の構成は実施の形態６と同様である。これにより、部品の数を減らすことができるのでコストダウンを図ることができる。
【産業上の利用可能性】
【００４３】
以上のように、本発明にかかる洗濯機は、弾性体の減衰力の強弱を切り替えることができるので、洗濯機以外の回転機械の防振にも応用可能である。
【図面の簡単な説明】
【００４４】
【図１】本発明の実施の形態１における洗濯機の断面図
【図２】同洗濯機の弾性体の断面図
【図３】同洗濯機の弾性体の断面図
【図４】本発明の実施の形態２における洗濯機の弾性体の断面図
【図５】本発明の実施の形態３における洗濯機の弾性体の断面図
【図６】同洗濯機の弾性体の断面図
【図７】同洗濯機の脱水工程での外槽の振動振幅を示すグラフ
【図８】本発明の実施の形態４における洗濯機の弾性体の断面図
【図９】同洗濯機の弾性体の断面図
【図１０】本発明の実施の形態５における洗濯機の弾性体の断面図
【図１１】本発明の実施の形態６における洗濯機の弾性体の断面図
【図１２】同洗濯機の弾性体の断面図
【図１３】同洗濯機の脱水時の洗濯兼脱水槽の回転数を示すグラフ
【図１４】同洗濯機の脱水時の洗濯兼脱水槽の回転数を示すグラフ
【図１５】本発明の実施の形態７における洗濯機の弾性体の断面図
【図１６】同洗濯機の弾性体の断面図
【図１７】従来の洗濯機の断面図
【符号の説明】
【００４５】
３０  洗濯機外枠
３２  弾性体
３３  外槽
３４  洗濯兼脱水槽
３５  駆動手段
４１  圧縮ばね
４２  袋体
４３  支持体
４３ａ、４８ａ、５９ｂ、５９ｃ  軸受け
４４  流路
４４ａ  開口部
４５  ロッド
５６  連通路
５７、６３  開閉手段
５８  第１の弾性体
５９  第２の弾性体
６０  第１の流路
６４  第２の流路
【図１】
2007306959.tif 000003
【図２】
2007306959.tif 000004
【図３】
2007306959.tif 000005
【図４】
2007306959.tif 000006
【図５】
2007306959.tif 000007
【図６】
2007306959.tif 000008
【図７】
2007306959.tif 000009
【図８】
2007306959.tif 000010
【図９】
2007306959.tif 000011
【図１０】
2007306959.tif 000012
【図１１】
2007306959.tif 000013
【図１２】
2007306959.tif 000014
【図１３】
2007306959.tif 000015
【図１４】
2007306959.tif 000016
【図１５】
2007306959.tif 000017
【図１６】
2007306959.tif 000018
【図１７】
2007306959.tif 000019